(57)【要約】【課題】  複数の番組を切り替えながら視聴するときに、各番組を見逃さずに視聴する。【解決手段】  第１チューナ６は、番組Ａを受信する。第２チューナ８は、番組Ａとは異なる番組Ｂを受信する。第１記録再生部７は、第１チューナ６が受信した番組Ａを記録媒体１０に録画する。第２記録再生部９は、第２チューナ８が受信した番組Ｂを記録媒体１０に録画する。現在再生している番組Ａを、他の番組に変更する必要がある、再生している番組を他の番組に切り替える必要があるとき、信号選択部１１は、第２記録再生部９によって録画されている番組Ｂを、選択し、出力する。これにより、番組受信装置１は、録画済みの番組Ｂを、番組Ａから切り替えて再生する。【選択図】  図１
2007013483.tif 000002
【特許請求の範囲】
【請求項１】
放送信号を受信し、当該受信した放送信号から、複数の番組を選択し、その１つを再生および録画する番組受信装置であって、
上記複数の番組を受信する複数の受信手段と、
上記受信した複数の番組を、それぞれ、所定の記録媒体に録画する録画手段と、
上記録画手段が上記複数の番組を録画しているときに、当該録画されている番組のいずれか１つを、その録画済み番組の再生を最後に終了した時刻によって特定される、上記所定の記録媒体における録画位置から読み出し再生する番組選択部とを備えていることを特徴とする番組受信装置。
【請求項２】
上記番組選択部は、上記録画済み番組の再生を最後に終了した時刻が、自装置に設定されている現在時刻より遅れているとき、上記録画済み番組を早送りして読み出し再生することを特徴とする請求項１に記載の番組受信装置。
【請求項３】
上記番組選択部は、上記読み出している録画済み番組を、他の番組に切り替えるように指示されるとき、上記所定の記録媒体に、録画済みの他の番組が存在しないなら、上記所定の記録媒体に録画されていない、放送中の他の番組を選択し再生することを特徴とする請求項１に記載の番組受信装置。
【請求項４】
請求項１〜３に記載のデジタル放送受信装置を動作させる番組選択プログラムであって、コンピュータを上記の各手段として機能させるための番組選択プログラム。
【請求項５】
請求項４に記載の番組選択プログラムを記録しているコンピュータ読み取り可能な記録媒体。
【発明の詳細な説明】
【技術分野】
【０００１】
本発明は、放送される番組を受信する、テレビなどの番組受信装置に関するものである。
【背景技術】
【０００２】
放送の多チャンネル化にともない、同じ時間帯において、複数の異なる番組が放送されるようになってきた。このような状況において、視聴者は、放送時間の重なる複数の放送番組を視聴したいという要望を持っている。その要望を満たすためには、大きく分けて、番組を録画して「あと」で視聴するか、何らかの手段を用いてリアルタイムで番組を視聴するかの、２通りの解決手段が考えられる。
【０００３】
番組を録画し、あとで視聴する場合、録画番組をいつ視聴するのかを決めづらい。したがって、このやり方では、視聴者は、録画番組を視聴しないまま、たくさん、溜め込んでしまいがちである。また、録画番組を視聴するタイミングが、実際の放送時間よりもあとになってしまう。このことから、もし番組を視聴するのがあまりに遅れる場合、録画番組の内容や情報が陳腐化してしまうおそれがある。
【０００４】
一方、リアルタイムで番組を視聴するなら、１つの画面を分割して、複数の番組を同時に視聴するか、または、視聴する番組に割り当てる視聴時間を、適宜、分割するか、の方法が考えられる。しかし、画面を分割するやりかたには、各番組を表示する領域が小さくなり、番組を視聴しにくくする問題がある。さらに、視聴者は、複数の番組を同時に視聴することから、それぞれの番組を集中して視聴できない問題もある。
【０００５】
また、複数の番組に割り当てる視聴時間を分割するやりかたとして、典型的なものに、ザッピングがある。このザッピングとは、「テレビ等の番組受信装置によって、視聴者が、希望するチャンネルの番組を視聴しているとき、他のチャンネルの番組が気になり視聴したいと思って、番組がコマーシャルに切り替えことをきっかけに、他のチャンネルに変更する」行為を意味する。通常、視聴者は、テレビ等の番組受信装置を通じて番組を視聴するとき、リモコンを使って頻繁にチャンネルを変える、すなわちザッピングする。
【０００６】
番組を視聴しているとき、視聴者は、ザッピングを目的として、頻繁にリモコンを操作することによってチャンネルを変更する。このような操作は、通常、視聴者にとってわずらわしい。そこで、このわずらわしさを軽減し、自動的にチャンネルを切り替える技術が、いろいろと提案されている。
【０００７】
特許文献１には、番組を受信する複数のチューナを備え、第１チューナが受信した番組を出力する第１出力手段と、他のチューナが受信した番組を出力する第２出力手段と、外部から入力されるスタート信号に応じて第１出力手段から第２出力手段の出力に切り替え、所定時間後に外部から入力されるエンド信号に応じて第２出力手段から第１出力手段の出力に切り替える切替手段とを備え、前記第２出力手段は、１つのチューナが受信した番組を出力するか、あるいは他のチューナがそれぞれ受信した異なる番組を順に出力することを特徴とする番組受信装置が開示されている。
【０００８】
特許文献１の番組受信装置は、通常、第一チューナが受信したチャンネルの番組を出力している。このとき、コマーシャルが始まるか、または操作部からスタート信号が入力されると、第二チューナが受信した番組を代わりに出力する。第二チューナから指定されたチャンネルの番組を出力するか、あるいは第二チューナのチャンネルを順に切り替えて、異なる番組を順に出力するかは、いずれかを要望に応じて選択する。また、コマーシャルが終了するか、または操作部からエンド信号が入力されると、出力する番組を、第一チューナからのものに切り替え、元の番組を出力する。
【０００９】
このようにして、番組をザッピングして視聴するとき、ザッピングの特性上、番組に視聴できないところが生ずる。この問題について、図１６を参照して以下に説明する。図１６は、従来技術に係る第１の装置が実行するザッピングのタイミングを表すタイムチャートである。視聴者は、タイムチャート１００ａにしたがって、チャンネルα（ボクシング番組）を視聴する。また、タイムチャート１００ｂにしたがって、チャンネルβ（総合格闘技番組）を視聴する。視聴者は、黒塗りの矢印で示す番組を視聴できる。一方、斜線の矢印で示す番組を視聴できない。
【００１０】
この図によれば、視聴者は、まず、チャンネルαの前座αを視聴する。すなわち、視聴者は、「チャンネルα」におけるＣＭと、「チャンネルβ」における前座βおよびコマーシャルとを、ともに重要視しない。
【００１１】
チャンネルαでは、前座αの放送後、コマーシャルが放送される。このとき、視聴者は、視聴する番組を、他のチャンネルの番組に切り替えることを試みる。すなわち、視聴者は、チャンネルβの番組を視聴する。チャンネルβでは、横綱戦１Ｒが放送される。
【００１２】
横綱戦１Ｒは、放送の開始したあと、すでに１分が経過している。視聴者は、そのまま、横綱戦１Ｒを視聴しはじめる。横綱戦１Ｒが終了すると、チャンネルβでは、コマーシャルが流れる。このとき、視聴者は、別チャンネルへの切り替えを試みる。視聴者は、チャンネルβからチャンネルαに切り替える。別チャンネルでは、ボクシング１Ｒを放送している。この番組は、開始したあとすでに１分が経過しているが、視聴者は、そのまま視聴しはじめる。
【００１３】
特許文献１の番組受信装置は、番組を録画する機能を有しない。これにより、視聴者は、チャンネルのザッピングにより、タイムチャート１ｃにしたがって、チャンネルをザッピングする。チャンネルαの番組と、チャンネルβの番組とを、適宜切り替えながら視聴する。これにより、視聴者は、タイムチャート１００ｄにしたがい、見かけ上、各番組を視聴する。タイムチャート１００ｄにおいて、各番組は、太線で囲まれている。この太線は、番組を視聴する放送時間と、番組に含まれる放送時間情報が一致していることを示す。
【００１４】
図１７に示すように、視聴者は、チャンネルαの番組を、適宜、リアルタイムに視聴できる。また、チャンネルβの番組も、適宜、リアルタイムに視聴できる。すなわち、両チャンネルの番組を、実際の放送時間にしたがって視聴できる。しかし、タイムチャート１００ｄにおいて明らかに示すように、視聴者は、各番組の全ての内容を、それぞれ、もれなく視聴できるわけではない。たとえば、横綱戦１Ｒ、ボクシング１Ｒ、横綱戦２Ｒの全てにおいて、視聴者は、開始後の１分間分を視聴できない。これにより、視聴者は、リアルタイムで視聴するべき番組の内容を、あちこち見逃していることから、あとになって後悔することが多い。
【００１５】
このように、特許文献１の番組受信装置は録画する機能を有しないため、通常のザッピングによる番組の切り替えでは、視聴者は、しばしば、切り替える番組の一部を視聴できない。そこで、このような、視聴番組の見逃しを録画する技術が、特許文献２に開示されている。
【００１６】
特許文献２には、受信した多チャンネルのデジタル放送波からあるチャンネル（元のチャンネル）を選局して視聴するデジタル放送受信機において、チャンネル切替え手段と、前記チャンネル切替え手段により元のチャンネルから移動した他のチャンネルの視聴時間を計測する計測手段と、前記計測手段が一定時間を計測した後に他のチャンネルから元のチャンネルに復帰させる操作手段とを具備したことを特徴とするデジタル放送受信機が開示されている。
【００１７】
特許文献２のデジタル放送受信機では、あるチャンネルの番組を視聴者が視聴しているとき、コマーシャルが流れると、別チャンネルに切り替える。このとき、タイマーＩＣを使用することによって、チャンネルの切り替え時間を測定する。これにより、一定の時間が経過してからは、視聴者は、スイッチを操作、またはマイクを通じて音声を入力ことによって、視聴する番組を、元のチャンネルに復帰させる。
【００１８】
このとき、特許文献２のデジタル放送受信機は、ＲＡＭにおいて元のチャンネルの番組を録画している。もし、視聴者が元の番組をさかのぼって視聴したいときには、この装置は録画済みの番組を再生する。これにより、視聴者の要望に対応する。また、この装置は、一定時間が経過したときに音声メッセージを生成することによって、視聴者に、スピーカを通じてその旨を報知して注意を促す。
【００１９】
特許文献２のデジタル放送受信機においても、視聴者が番組をザッピングして視聴するとき、ザッピングの特性上、放送される番組に、視聴できないところが生ずる。この問題について、図１７を参照して以下に説明する。図１７は、従来技術に係る第２の装置が実行するザッピングのタイミングを表すタイムチャートである。
【００２０】
この図に示すように、視聴者は、タイムチャート２００ａにしたがって、チャンネルα（ボクシング番組）を視聴する。また、タイムチャート２００ｂにしたがって、チャンネルβ（総合格闘技番組）を視聴する。このとき、視聴者は、黒塗りの矢印で示す番組を視聴できる。一方、斜線の矢印で示す番組を視聴できない。また、白塗りの矢印で示す番組を早送りする。
【００２１】
この図によれば、視聴者は、まず、チャンネルαの前座αを視聴する。すなわち、視聴者は、「チャンネルα」におけるＣＭと、「チャンネルβ」における前座βおよびコマーシャルとを、ともに重要視しない。
【００２２】
チャンネルαでは、前座αの放送後、コマーシャルを放送する。このとき、視聴者は、視聴する番組を、他のチャンネルの番組に切り替えることを試みる。視聴者は、チャンネルαをチャンネルβに切り替える。このとき、デジタル放送受信機は、チャンネルαにおいて放送される番組を、ＲＡＭに録画する。
【００２３】
横綱戦１Ｒは、放送の開始したあと、すでに１分が経過している。視聴者は、そのまま、横綱戦１Ｒを視聴しはじめる。横綱戦１Ｒが終了すると、チャンネルβでは、コマーシャルが流れる。このとき、視聴者は、別チャンネルへの切り替えを試みる。すなわち視聴者は、チャンネルβからチャンネルαに切り替える。別チャンネルでは、ボクシング１Ｒを放送している。この番組は、開始したあとすでに１分が経過しているが、視聴者は、録画済みのコマーシャルをスキップする。これにより、ボクシング１Ｒを、いわゆる「追っかけ再生」によって視聴する。すなわち、視聴者はコマーシャルを重要視しないため、重要なシーンであるボクシング番組まで、コマーシャルをスキップする。
【００２４】
このように、特許文献２のデジタル放送受信機は、番組を録画する機能を有している。このとき、視聴者は、タイムチャート２００ｃにしたがって、チャンネルをザッピングする。これにより、チャンネルαの番組と、チャンネルβの番組とを、適宜切り替えながら視聴する。したがって視聴者は、タイムチャート２００ｄにしたがい、見かけ上、各番組をリアルタイムで視聴する。タイムチャート２００ｄにおいて、各番組は、太線で囲まれている。この太線は、番組を視聴する放送時間と、番組に含まれる放送時間情報が一致していることを示す。
【特許文献１】特開２００４−１９３９２５号公報（２００４年０７月０８日公開）
【特許文献２】特開２００３−０８７６６７号公報（２００３年０３月２０日公開）
【発明の開示】
【発明が解決しようとする課題】
【００２５】
しかし、特許文献２の従来技術においても、視聴する番組を見逃すことに変わりはない。すなわち、図１７に示すように、視聴者は、チャンネルαの番組を、適宜、リアルタイムに視聴できる。また、チャンネルβの番組も、適宜、リアルタイムに視聴できる。すなわち、両チャンネルの番組を、実際の放送時間にしたがって視聴できる。
【００２６】
しかし、タイムチャート２００ｄにおいて明らかに示すように、視聴者は、各番組を、全て視聴できるわけではない。すなわち、視聴者は、チャンネルαの番組については、すべて、見逃すことなく視聴できる。しかし、チャンネルβの番組については、たとえば、横綱戦１Ｒの開始後の１分間分を見逃している。このように、視聴者は、リアルタイムで視聴するべき番組の一部を見逃していることから、やはり、あとになって後悔してしまう
特に、大晦日には、各種スポーツ番組などの特別番組が放送される。このような番組は、リアルタイムに視聴することが特に重要である。しかも、リアルタイムに視聴することが重要となる番組が、同時に放送される。また、視聴者は、どの時間帯にどのようなイベントが発生するかを、全く予測できない。したがって、特許文献２に開示されているザッピング方法を用いても、各番組の全てを視聴できない。
【００２７】
また、これらの番組は、後日、大きな話題を呼ぶことが多い。そのため、知人等とのコミュニケーションにおいて、すぐに取り上げられやすい。したがって、イベントが発生した実際の時間から、視聴した時間までに、あまりに大きなタイムラグがあると、そのイベント情報が陳腐化してしまい、話題についていけなくなる問題が発生する。
【００２８】
本発明は上記の課題に鑑みてなされたものであり、その目的は、複数の番組を切り替えながら視聴するときに、各番組を見逃さずに視聴できる番組受信装置、番組選択方法、番組選択プログラム、および記録媒体を提供することにある。
【課題を解決するための手段】
【００２９】
本発明の番組受信装置は、上記の課題を解決するために、放送信号を受信し、当該受信した放送信号から、複数の番組を選択し、その１つを再生および録画する番組受信装置であって、上記複数の番組を受信する複数の受信手段と、上記受信した複数の番組を、それぞれ、所定の記録媒体に録画する録画手段と、上記録画手段が上記複数の番組を録画しているときに、当該録画されている番組のいずれか１つを、その録画済み番組の再生を最後に終了した時刻によって特定される、上記所定の記録媒体における録画位置から読み出し再生する番組選択部とを備えていることを特徴としている。
【００３０】
上記の構成によれば、番組受信装置は、複数の番組を受信し、それらの１つを再生する。このとき、番組受信装置は、受信する複数の番組を、いずれも、所定の記録媒体に録画している。これにより、視聴者が番組を見逃すことを防ぐ。
【００３１】
すなわち、番組受信装置は、上記複数の番組を録画しているときに、当該録画されている番組のいずれか１つを、その録画済み番組の再生を最後に終了した時刻によって特定される録画位置から読み出し再生する。これにより、たとえば、ある録画済みの番組から、他の録画済みの番組に、再生する番組を切り替えるときであっても、切り替え先の番組を、とばすことなく全て再生する。
【００３２】
このように、番組受信装置を用いて番組を視聴する視聴者は、複数の番組を切り替えながら視聴するときであっても、全ての番組を見逃すことなく視聴できる効果を奏する。
【００３３】
また、本発明の番組受信装置は、さらに、上記番組選択部は、上記録画済み番組の再生を最後に終了した時刻が、自装置に設定されている現在時刻より遅れているとき、上記録画済み番組を早送りして読み出し再生することを特徴としている。
【００３４】
上記の構成によれば、番組受信装置は、録画済みの番組を、早送りできる。これにより、たとえば、録画済みの番組に、コマーシャルなど、視聴者が重要と感じないシーンが含まれるときに、その部分をとばすことができる。番組受信装置は、録画済みの番組を再生する時刻を、現在放送されているその番組の時刻により近づけることができる。これにより、視聴者は、録画済みの番組を、よりリアルタイムに近い感覚で視聴できる効果を奏する。
【００３５】
また、本発明の番組受信装置は、さらに、上記番組選択部は、上記読み出している録画済み番組を、他の番組に切り替えるように指示されるとき、上記所定の記録媒体に、録画済みの他の番組が存在しないなら、上記所定の記録媒体に録画されていない、放送中の他の番組を選択し再生することを特徴としている。
【００３６】
上記の構成によれば、番組受信装置は、再生する番組を、他の番組に切り替える必要があるとき、もし、録画済みの他の番組が、所定の記録媒体に存在しなければ、現在放送されている他の番組を再生する。これにより、番組受信装置は、番組を切り替える必要があるとき、確実に他の番組に切り替えることができる。
【００３７】
なお、上記番組受信装置は、コンピュータによって実現してもよい。この場合、コンピュータを上記各手段として動作させることにより上記番組受信装置をコンピュータにおいて実現する番組選択プログラム、およびその番組選択プログラムを記録したコンピュータ読み取り可能な記録媒体も、本発明の範疇に入る。
【発明の効果】
【００３８】
以上のように、本発明の番組受信装置は、録画手段が上記複数の番組を録画しているときに、当該録画されている番組のいずれか１つを、その録画済み番組の再生を最後に終了した時刻によって特定される録画位置から読み出し出力する番組選択部を備えているため、番組受信装置を用いて番組を視聴する視聴者は、複数の番組を切り替えながら視聴するときであっても、全ての番組を見逃すことなく視聴できる効果を奏する。
【発明を実施するための最良の形態】
【００３９】
本発明の一実施形態について、図１〜図１５に基づいて以下に説明する。
【００４０】
まず、本実施形態に係る番組受信装置１の構成について、図１を参照して以下に説明する。図１は、本発明に係る番組受信装置１の構成例を示すブロック図である。この図に示すように、番組受信装置１は、制御部２、一時メモリ３、操作部４、アンテナ５、第１チューナ６、第１記録再生部７、第２チューナ８、第２記録再生部９、記録媒体１０、信号選択部１１、音声信号処理部１２、画像信号処理部１３、および番組出力部１４を備えている。
【００４１】
制御部２は、番組受信装置１が備えている各部材を統括的に制御する。このとき、制御部２は、必要に応じて一時メモリ３にアクセスし、一時的にデータを書き込む。一時メモリ３は、後述するザッピング対象管理リスト６０を格納している。そこで制御部２は、一時メモリ３にデータを書き込んだり、あるいはザッピング対象管理リスト６０からデータを読み出したりする。
【００４２】
第１チューナ６は、アンテナ５を通じて放送信号を受信する。このとき第１チューナ６は、放送信号に含まれる１つの番組の番組信号を受信する。第１チューナ６は、受信した番組信号を、信号選択部１１および第１記録再生部７に出力する。
【００４３】
第１記録再生部７は、第１チューナ６が視聴した番組のデータを、記録媒体１０に録画する。また、視聴者による指示に応じて、記録媒体１０に録画されている番組信号を読み出し、信号選択部１１に出力する。
【００４４】
なお、記録媒体１０として、メモリ、ハードディスク、ブルーレイディスク、ＨＤ−ＤＶＤディスクを利用できる。
【００４５】
第２チューナ８も、第１チューナ６と同じく、アンテナ５を通じて放送信号を受信する。このとき第２チューナ８は、第１チューナ６が受信する番組とは異なる番組の番組信号を受信する。第２チューナ８は、受信した番組信号を、信号選択部１１および第２記録再生部９に出力する。
【００４６】
第２記録再生部９は、第２チューナ８が受信した番組信号を記録媒体１０に録画する。また、制御部２による指示に応じて、記録媒体１０に録画されている番組信号を読み出し、信号選択部１１に出力する。
【００４７】
信号選択部１１は、制御部２による指示に応じて、入力される番組信号のうち、いずれを出力するのかを決定する。信号選択部１１は、選択した番組信号を音声信号処理部１２および画像信号処理部１３に出力する。
【００４８】
音声信号処理部１２は、入力される番組信号から音声信号を抽出する。また、抽出した音声信号を番組出力部１４に出力する。画像信号処理部１３は、入力される番組信号から映像信号を抽出する。また、抽出した映像信号を番組出力部１４に出力する
番組出力部１４は、入力される音声信号および映像信号を、モニタ等の外部出力装置に出力する。これにより、番組受信装置１は、受信した番組を再生できる。
【００４９】
視聴者は、操作部４を通じて番組受信装置１を操作する。操作部４は、視聴者が操作した内容をデジタル信号に変更することによって、制御部２に出力する。制御部２は、入力されるデジタル信号に基づき、視聴者による指示の内容を番組受信装置１に設定する。
【００５０】
視聴者は、操作部４を操作することによって、番組受信装置１の電源オンオフ、チャンネルの切り替え、入力の切り替え、音量の調整、画質の調整、および視聴する番組の予約をそれぞれ実行できる。さらに、視聴者は、番組受信装置１における特徴的な操作として、（１）視聴している番組を「ザッピング対象」に登録すること、（２）登録した番組を「ザッピング対象」から削除すること、（３）視聴している番組を他の番組に変更するための「視聴内容変更要求」を通知すること、を実行できる。
【００５１】
ここで、いかに示す番組受信装置１を説明する際に用いる用語をいくつか定義する。「ザッピング要求」とは、視聴者が視聴している番組を、他の視聴内容に変更するとき、明示的に「ザッピング」を意図して行う操作を意味する。また、「ザッピング対象」とは、視聴者が「ザッピング」を番組受信装置１に対して行う場合において、番組受信装置１が、ザッピング対象管理リスト６０に登録する番組をを意味するすなわち、番組受信装置１が、番組をザッピング対象としてザッピング対象管理リスト６０に登録するとき、この番組は、所定の記録再生部によって録画されている。
【００５２】
制御部２は、視聴者による指示および要求を処理する。このとき制御部２は、録画した番組を早送りするか、再生する番組を他のザッピング対象に変更するか、または、放送されている他の番組を再生する。これら処理のうちどれを実行するかを、現在、視聴者が視聴している番組の内容、および、チューナや記録再生部の状態に応じて、決定する。この詳細は後述する。
【００５３】
（リモコン２０の構成）
視聴者は、リモコン２０を使用することによって、番組受信装置１を操作できる。このリモコン２０について、図２を参照して以下に説明する。図２は、本発明に係る番組受信装置１を操作するためのリモコン２０の構成を示す図である。
【００５４】
この図によれば、リモコン２０は、番組受信装置１において基本的なパラメータを設定するための各種のキーを備えている。すなわち、リモコン２０は、番組受信装置１の電源をオンまたはオフするための電源スイッチ２２、チャンネルを設定するためのダイレクト選局スイッチ２３、音量を上げるための音量アップキー２４、音量を下げるための音量ダウンキー２５、チャンネルを１つ上に変更するためのチャンネルアップキー、および、チャンネルを１つ下に変更するためのチャンネルダウンキー２７を備えている。
【００５５】
リモコン２０は、さらに、番組受信装置１が表示画面表示するメニューを操作するための各種キーを備えている。すなわち、リモコン２０は、設定メニューキー２１、カーソル移動キー２８、２９、３０および３１、決定キー３２、再生キー３２、順方向頭出しキー３３、逆方向頭出しキー３１、早送りキー３８、巻き戻しキー３６、および再生停止キー３７を備えている。さらに、番組受信装置１における特徴的な操作を実行するためのキーとして、リモコン２０は、ザッピング対象削除キー３９、ザッピング要求キー４０、およびザッピング対象登録キー４１、およびを備えている。これらのキーを、視聴者がどのようなシーンにおいて使用するかについては、後述する。
【００５６】
（メニューの一例）
番組受信装置１が表示画面に表示するメニューの一例について、図３を参照して以下に説明する。図３は、番組受信装置１が表示画面に表示するメニューの一例を示す図である。この図によれば、番組受信装置１は、表示画面に、メニュー５０を表示している。このとき視聴者が、メニューキー２１を押下すると、番組受信装置１は、表示画面にメニューバー５１を表示する。さらに、視聴者がカーソル移動キー２８、２９、３０または３１を押下すると、番組受信装置１は、視聴者が選択したメニューを反転する。さらに、このメニューがサブメニューを含んでいるなら、そのサブメニューを表示する。
【００５７】
図３に示す例では、番組受信装置１は、表示画面に、ザッピングメニュー５２、画質メニュー５３、音質メニュー５４のうち、ザッピングメニュー５２を展開して表示する。ザッピングメニュー５２は、サブメニュー５５を含んでいる。このサブメニュー５５は、ザッピング対象登録項目、ザッピング対象削除項目、および視聴内容変更要求５６項目を含んでいる。
【００５８】
視聴者が、メニュー項目としてのザッピング要求５６を選択することによって、番組受信装置１は、さらに、この直下の各サブ項目を表示する。このとき、番組受信装置１は、サブメニュー５７を表示する。また、この図に示す例では、視聴者は、サブメニュー５７において、ザッピング対象５８を選択している。この状態において、視聴者が決定キー３２を押下することによって、番組受信装置１は、ザッピング要求があったザッピング対象として、視聴者によって選択されるザッピング対象を選択し、再生する。
【００５９】
視聴者が、リモコン２０のザッピング対象登録キー４１を押下するときと、ザッピングメニュー５２に含まれるサブメニュー５５のザッピング対象登録を選択し、この状態において決定キー３２を押下するときとにおいて、番組受信装置１は同じ動作をする。すなわち、これらの行為は、番組受信装置１において等価の結果を引き起こす。
【００６０】
また、視聴者が、リモコン２０のザッピング対象削除キー３９を押下するときと、ザッピングメニュー５２に含まれるサブメニュー５５のザッピング対象削除を選択し、この状態において決定キー３２を押下するときとにおいて、番組受信装置１は同じ動作をする。すなわち、これらの行為は、番組受信装置１において等価の結果を引き起こす。
【００６１】
また、視聴者が、リモコン２０のザッピング要求キー４０を押下するときと、ザッピングメニュー５２に含まれるサブメニュー５５におけるザッピング要求を選択するときとで、番組受信装置１は、いずれも、表示画面にサブメニュー５７を表示する。すなわち、これらの行為は等価の結果を引き起こす。
【００６２】
番組受信装置１が使用するザッピング対象管理リスト６０において、図４を参照して以下に説明する。図４は、ザッピング対象管理リスト６０の一例を示す図である。この図によれば、ザッピング対象管理リスト６０は、番組受信装置１が再生する番組の情報、この番組を受信するチューナの情報、この番組を録画する記録再生部の情報、および、この番組の再生を最後に終了した時刻の情報を、互いに関連付けて、ザッピング対象ごとに、１つの行データとして格納している。
【００６３】
図４の例では、ザッピング対象管理リスト６０は、２つのザッピング対象の情報を格納している。すなわち、ザッピング対象Ａとしての番組Ａの情報を、第１行目のデータとして格納している。また、ザッピング対象管理リスト６０は、ザッピング対象Ａとしての番組Ａの情報を、第２行目のデータとして格納している。
【００６４】
番組受信装置１では、視聴者による指示に基づき、視聴者が視聴している番組の情報を、制御部２が一時メモリ３のザッピング対象管理リスト６０に登録する。このとき、制御部２は、さらに、ザッピング対象として視聴者が選択した番組を受信しているチューナの情報を、ザッピング対象管理リスト６０に登録する。さらに、ザッピング対象としての番組を録画する記録再生部の情報を、ザッピング対象管理リスト６０に登録する。これにより、ザッピング対象管理リスト６０に登録される記録再生部が、視聴者によってザッピング対象として指示された番組の録画を開始する。
【００６５】
また、番組受信装置１では、視聴者による指示に基づき、制御部２が、ザッピング対象管理リスト６０に登録されているザッピング対象の情報を削除する。このとき、制御部２は、ザッピング対象としての番組の情報、この番組を受信しているチューナの情報、およびこの番組を録画している記録再生部の情報を、それぞれ、ザッピング対象管理リスト６０から削除する。これにより、番組受信装置１は、ザッピング対象管理リスト６０から削除される番組の録画を、終了する。
【００６６】
視聴者による指示に基づき、番組受信装置１が、視聴者が現在視聴している番組を、ザッピング対象としてザッピング対象管理リスト６０に登録するときの動作について、図５を参照して以下に説明する。図５は、視聴者が視聴している番組を、番組受信装置１がザッピング対象としてザッピング対象管理リスト６０に登録するときの処理を示すフローチャートである。この図によれば、視聴者は、番組Ａを視聴している（ステップＳ１ａ）。この番組Ａは、いまだ、ザッピング対象としてザッピング対象管理リスト６０に登録されていない。このとき視聴者は、たとえば、番組Ａをリアルタイムに視聴したい、重要な番組であると評価する。すなわち、この番組を、「ザッピング対象にしたい」番組であると評価する。これにより、視聴者は、「ザッピング要求」が発生したことを、番組受信装置１に通知する。
【００６７】
このとき視聴者は、リモコン２０の「ザッピング対象登録キー」を押下したり、メニューにおいて「ザッピング対象登録」を選択したりするなどして、「ザッピング要求」が発生したことを番組受信装置１に通知する。
【００６８】
ザッピング要求が発生していると判定するとき（ステップＳ１ｂ）、制御部２は、記録再生部の空きリソースが存在するか否かを判定する（ステップＳ１ｃ）。すなわち、制御部２は、番組受信装置１に備えられている各記録再生部にアクセスすることによって、これらの記録再生部が、現在、番組を録画できる状態にあるか否かを判定する。
【００６９】
このとき、制御部２は、たとえば、受信する番組のビットレートが通常よりも高いために、記録再生部が番組を記録媒体１０に録画する速度が、受信する速度よりも遅い状態となって、記録再生部が番組を記録媒体１０に適切に録画できないときに、その記録再生部の空きリソースが存在しないと判定する。また、記録再生部は使用可能であると判定しても、もし、番組を書き込む先の記録媒体１０に番組を保存するに十分な領域がないと判定するなら、制御部２は、記録媒体１０および記録再生部の空きリソースが存在しないと判定する。
【００７０】
空きリソースが存在する、すなわち使用できる記録再生部が存在すると判定するとき、制御部２は、番組Ａを録画することを、この記録再生部に通知する。これにより、たとえば、第１記録再生部７が、ザッピング対象としての番組Ａを、記録媒体１０に録画し始める（ステップＳ１ｄ）。
【００７１】
このとき制御部２は、視聴者が現在視聴している番組Ａを、ザッピング対象Ａとして、ザッピング対象管理リスト６０に登録する（ステップＳ１ｅ）さらに、この番組を受信しているチューナの情報、および、この番組を録画している記録再生部の情報を、それぞれ、ザッピング対象管理リスト６０に登録する。たとえば、制御部２は、番組Ａを受信する第１チューナ６の情報、および番組Ａを記録媒体１０に録画する第１記録再生部７の情報を、それぞれ、ザッピング対象管理リスト６０に登録する。
【００７２】
また、制御部２は、番組Ａの録画を開始した時刻を、一時メモリ３のザッピング対象管理リスト６０に保存する。制御部２は、この時刻を、ローカルクロックから読み出す。さらに、制御部２は、一時メモリ３に保存されている、チューナの空きリソースの数、および記録再生部の空きリソースの数を、それぞれ、１つずつ減らした値に変更する。たとえば、一時メモリ３に保存されている数が、それぞれ２であるなら、制御部２は、それぞれの値を１に変更する。
【００７３】
一方、ステップＳ１ｂにおいて、「ザッピング要求」が発生しないと判定するとき、番組受信装置１は何も実行しない。また、ステップＳ１ｃにおいて、記録再生部に空きリソースが存在しないと判定するときも、番組受信装置１は何も実行しない。このとき、制御部２は、たとえば、第１記録再生部７が記録媒体１０に番組信号を書き込むのに十分なＣＰＵ資源を割り当てられていないと判定するときや、あるいは、記録媒体１０が番組信号を保存するための十分な空き領域を有していないと判定するとき、記録再生部の空きリソースが存在しないと判定すればよい。
【００７４】
なお、このとき、番組受信装置１は、視聴者に対し、記録再生部の空きリソースを増やすように促すメッセージを、表示画面に表示してもよい。または、番組受信装置１は、記録媒体１０に録画されている番組を削除するように促すメッセージを、表示画面に表示してもよい。
【００７５】
視聴者による指示に基づき、番組受信装置１が、視聴者が視聴しているザッピング対象としての番組を、ザッピング対象管理リスト６０から削除するときの動作について、図６を参照して以下に説明する。図６は、視聴者が視聴している番組としてのザッピング対象を、番組受信装置１がザッピング対象管理リスト６０から削除するときの処理を示すフローチャートである。
【００７６】
この図によれば、視聴者は、ザッピング対象Ａとしての番組Ａを視聴している（ステップＳ２ａ）。すなわち、番組受信装置１はこの番組Ａを、ザッピング対象としてザッピング対象管理リスト６０に登録している。このとき視聴者は、たとえば、番組Ａをリアルタイムに視聴するべきでない、重要でない番組であると評価する。すなわち、この番組を、「ザッピング対象から削除したい」番組であると評価する。これにより、視聴者は、「ザッピング要求」が消滅したことを、番組受信装置１に通知する。
【００７７】
このとき視聴者は、リモコン２０の「ザッピング対象削除キー」を押下したり、メニューにおいて「ザッピング対象削除」を選択したりするなどして、「ザッピング要求」が消滅したことを番組受信装置１に通知する。
【００７８】
ザッピング要求が消滅したと判定するとき（ステップＳ２ｂ）、制御部２は、番組Ａを録画している記録再生部に、ザッピング対象Ａとしての番組Ａの録画を終了することを指示する。これにより、たとえば第１記録再生部７は、番組Ａの録画を終了する（ステップＳ２ｃ）。
【００７９】
このとき制御部２は、視聴者が現在視聴している番組Ａの情報を、ザッピング対象管理リスト６０から削除する（ステップＳ２ｄ）さらに、この番組を受信しているチューナの情報、および、この番組を録画している記録再生部の情報を、それぞれ、ザッピング対象管理リスト６０から削除する。さらに、制御部２は、一時メモリ３に保存されている、チューナの空きリソースの数、および記録再生部の空きリソースの数を、それぞれ、１つずつ増やした値に変更する。なお、ステップＳ２ｂにおいて、「ザッピング要求」が発生しないと判定するとき、番組受信装置１は何も実行しない。
【００８０】
番組受信装置１が、チューナの空きリソースの数、および記録再生部の空きリソースの数を、それぞれ、増やした値に変更するときの処理の流れについて、図７を参照して以下に説明する。図７は、番組受信装置１がチューナおよび記録再生部の空きリソースを増やすときの処理を示す図である。
【００８１】
この図によれば、視聴者は、ザッピング対象Ａとしての番組Ａを視聴している（ステップＳ３ａ）。このとき、制御部２は、番組Ａの終了時刻を、現在、取得したか否かを判定する（ステップＳ３ｂ）。番組Ａの終了時刻を取得していると判定するなら、制御部２は、ローカルクロックから、現在時刻を取得する。これにより、制御部２は、番組Ａの終了時刻と、ローカルクロックから取得した現在時刻とを比較することによって、番組Ａが、すでに終了しているか否かを判定する。
【００８２】
このとき、制御部２は、番組Ａが終了していると判定するなら、番組Ａを録画している記録再生部に、番組Ａの録画を終了するように指示する。これにより、たとえば第１記録再生部７は、番組Ａの録画を終了する（ステップＳ３ｃ）。また、制御部２は、チューナの空きリソースの数、および、記録再生部の空きリソースの数を、それぞれ、１つずつ増やした値に変更する（ステップＳ３ｅ）。
【００８３】
以上の処理により、視聴者が重要でないと感じた番組Ａを受信していたチューナは、あらたに他の番組を受信できる状態になる。さらに、この番組を録画していた記録再生部は、新たに、他の番組を録画できる状態になる。
【００８４】
なお、制御部２は、番組の終了時刻を、電子番組表（ＥＰＧ）、放送波、インターネット、およびユーザによる入力値の、少なくともいずれかから取得すればよい。また、ステップＳ３ｂにおいて、制御部２は、番組の終了時刻を取得していないと判定するとき、何も実行しない。さらに、ステップＳ３ｃにおいて、番組が終了していないと判定するときも、何も実行しない。
【００８５】
視聴者が、ザッピング対象としてザッピング対象管理リスト６０に登録していない番組を視聴しているとき、この番組に、これから先、重要と感じるシーンが登場しないと判断するとき、番組受信装置１は、他の番組を再生できる。この処理において、図８を参照して以下に説明する。図８は、視聴者が番組を視聴しているときに、重要と感じないシーンに遭遇したとき、番組受信装置１が実行する処理を示す図である。
【００８６】
この図によれば、視聴者は、番組Ｃを視聴している（ステップＳ４ａ）。この番組は、現在、ザッピング対象管理リスト６０に登録されていない。このとき、視聴者は、番組Ｃに、これから先、特に重要と感じるシーンが登場しないと判定する。これにより、視聴者は、視聴内容変更要求を番組受信装置１に通知する。このとき、視聴者は、リモコン２０のザッピング要求キー４０を押下したり、メニューにおいて「ザッピング対象登録」を選択したりするなどして、「視聴内容変更要求」が発生したことを番組受信装置１に通知する。
【００８７】
視聴内容変更要求が発生していると判定するとき（ステップＳ４ｂ）、制御部２は、再生する番組を、現在の番組Ｃから、他の番組、この場合は番組Ｄに変更することを決定する。この番組Ｄも、番組Ｃと同様に、この時点では、ザッピング対象管理リスト６０に登録されていない。これにより、番組受信装置１は、番組Ｄに、チャンネルを切り替える（ステップＳ４ｃ）。なお、ステップＳ４ｂにおいて、制御部２は、視聴内容変更要求が発生しないと判定するとき、番組受信装置１は、そのまま、番組Ｃを再生する。
【００８８】
ザッピング対象管理リスト６０に１つの番組がザッピング対象として登録されている場合において、視聴者が、ザッピング対象管理リスト６０に登録されていない番組を視聴しているときに、チャンネルを変更することがある。このとき番組受信装置１が実行する処理の流れについて、図９を参照して以下に説明する。図９は、視聴者が番組を視聴しているときに、重要と感じないシーンに遭遇したとき、番組受信装置１が実行する処理を示す図である。
【００８９】
この図によれば、視聴者は、番組Ｃを視聴している（ステップＳ５ａ）。この番組Ｃは、いまだ、ザッピング対象としてザッピング対象管理リスト６０に登録されていない。また、このとき、ザッピング対象管理リスト６０には、ザッピング対象Ａとして、番組Ａの情報が登録されている。すなわち、視聴者が番組Ｃを視聴しているとき、第１記録再生部７は番組Ａを録画している。なお、番組Ｃについては、ザッピング対象管理リスト６０に登録されていない。したがって、視聴者が番組Ｃを視聴しているとき、記録再生部は番組Ｃを録画していない。
【００９０】
このとき、視聴者は、番組Ｃに、これから先、特に重要と感じるシーンが登場しないと判定する。これにより、視聴者は、視聴内容変更要求を番組受信装置１に通知する。このとき、視聴者は、リモコン２０のザッピング要求キー４０を押下したり、メニューにおいて「ザッピング対象登録」を選択したりするなどして、「視聴内容変更要求」が発生したことを番組受信装置１に通知する。
【００９１】
視聴内容変更要求が発生していると判定するとき（ステップＳ５ｂ）、制御部２は、再生する番組を変更することを決定する。このとき、制御部２はさらに、視聴者が変更を望んでいる番組が、ザッピング対象の番組なのか、ザッピング対象でないなのかを判定する（ステップＳ５ｃ）。この場合、制御部２は、視聴者が、ザッピング対象として番組Ａ、および、他の番組として番組Ｃ、のいずれを選択したのかを判定する（ステップＳ５ｃ）。
【００９２】
このとき、視聴者が選択した番組が、ザッピング対象の番組であるとき、制御部２は、ザッピング対象管理リスト６０に登録されている番組Ａを視聴することを決定する。これにより、制御部２は、第１記録再生部７に、記録媒体１０に録画されている番組Ａを読み出し、信号選択部１１に出力するように指示する。また、このとき、制御部２は、ザッピング対象管理リスト６０から、番組Ａの再生を最後に終了した時刻を読み出し、第１記録再生部７に出力する。これにより、第１記録再生部７は、番組Ａを最後に再生する時刻から、番組Ａの出力を開始する。さらに、制御部２は、信号選択部１１に、第１記録再生部７から入力される番組信号を選択するように指示する。
【００９３】
以上の処理により、番組受信装置１は、番組Ａを、最後に再生した時刻から、再び再生する。
【００９４】
一方、視聴者が選択した番組を他の番組であると判定するとき、制御部２は、使用可能なチューナに、番組Ｄを受信するように指示する。これにより、番組受信装置１は、再生する番組を番組Ｂから番組Ｄに変更する。
【００９５】
なお、ステップＳ５ｂにおいて、視聴内容変更要求が通知されていないと判定するとき、番組受信装置１は、何も実行しない。すなわち、番組受信装置１は、そのまま、番組Ａを再生し続ける。これにより、視聴者は、番組Ａを視聴し続ける。
【００９６】
ザッピング対象管理リスト６０に１つの番組がザッピング対象として登録されているとき、視聴者が現在視聴しているその番組の残り再生時間が、ゼロになることがある。すなわち、視聴者は、録画されている番組、たとえば番組Ａを、リアルタイムで視聴することになる。この状況においても、視聴者は、現在視聴している番組Ａに、これから先、重要と感じるシーンが登場しないと判断することがある。
【００９７】
この場合、視聴者は、現在の番組を変更することを求める。そこで、このときの番組受信装置１が実行する処理の流れについて、図１０を参照して以下に説明する。図１０は、視聴者がザッピング対象を視聴しているときに、重要と感じないシーンに遭遇したとき、番組受信装置１が実行する処理を示す図である。
【００９８】
この図によれば、視聴者は、番組Ａを視聴している（ステップＳ６ａ）。この番組Ａは、ザッピング対象としてザッピング対象管理リスト６０に登録されている。このとき、視聴者は、番組Ａに、これから先、特に重要と感じるシーンが登場しないと判定する。これにより、視聴者は、視聴内容変更要求を番組受信装置１に通知する。このとき、視聴者は、リモコン２０のザッピング要求キー４０を押下したり、メニューにおいて「ザッピング対象」を選択したりするなどして、「視聴内容変更要求」が発生したことを番組受信装置１に通知する。
【００９９】
視聴内容変更要求が発生していると判定するとき（ステップＳ６ｂ）、制御部２は、チューナの空きリソースが存在するか否かを判定する。このとき、チューナの空きリソースが存在すると判定するとき、制御部２は、番組Ｃを再生することを決定する。この番組Ｃには、ザッピング対象管理リスト６０に登録されていない。したがって、視聴者が番組Ａを視聴しているとき、記録再生部は番組Ｃを録画していない。制御部２は、使用できる状態にあるチューナに、番組Ｃを受信するように指示する。これにより、番組受信装置１は、再生する番組を、番組Ａから番組Ｃに変更する。
【０１００】
番組受信装置１が番組Ｃを再生しているとき、第１記録再生部７は、番組Ａを録画し続ける。また、制御部２は、番組受信装置１が番組Ａの再生を最後に終了した時刻を、ザッピング対象管理リスト６０に書き込む。
【０１０１】
なお、ステップＳ６ｃにおいて、チューナの空きリソースが存在しないと判定するとき、番組受信装置１は何も実行しない。すなわち、番組受信装置１は、そのまま、番組Ａを再生し続ける。これにより、視聴者は、ザッピング対象Ａとしての番組Ａを視聴し続ける。このとき、番組受信装置１は、チューナのリソースが不足している旨を通知するメッセージ、または、リソースを増やすことを目的として、ザッピング対象Ａをザッピング対象管理リスト６０から削除してもよいか否かを問い合わせるメッセージを、表示画面に表示してもよい。
【０１０２】
ステップＳ６ｂにおいて、視聴内容変更要求が通知されていないと判定するとき、番組受信装置１は、何も実行しない。すなわち、番組受信装置１は、そのまま、番組Ａを再生し続ける。これにより、視聴者は、ザッピング対象としての番組Ａを視聴し続ける。
【０１０３】
ザッピング対象管理リスト６０に１つの番組がザッピング対象として登録されているとき、視聴者が現在視聴しているその番組の残り再生時間が、ゼロになっていないことがある。このとき、視聴者は、録画されている番組、たとえば番組Ａを、リアルタイムで放送される実際の番組Ａに比べて、遅れて視聴することになる。この状況において、視聴者は、現在視聴している番組Ａに、これから先、重要と感じるシーンが登場しないと判断することがある。
【０１０４】
この場合、視聴者は、録画済みの番組Ａの再生を早送りしたり、現在の番組Ａを変更することを求める。そこで、このとき番組受信装置１が実行する処理の流れについて、図１１を参照して以下に説明する。図１１は、視聴者がザッピング対象を視聴しているときに、重要と感じないシーンに遭遇したとき、番組受信装置１が実行する処理を示す図である。
【０１０５】
この図によれば、視聴者は、番組Ａを視聴している（ステップＳ７ａ）。この番組Ａは、ザッピング対象としてザッピング対象管理リスト６０に登録されている。このとき、視聴者は、番組Ａに、これから先、特に重要と感じるシーンが登場しないと判定する。これにより、視聴者は、視聴内容変更要求を番組受信装置１に通知する。このとき、視聴者は、リモコン２０のザッピング要求キー４０を押下したり、メニューにおいて「ザッピング対象」を選択したりするなどして、「視聴内容変更要求」が発生したことを番組受信装置１に通知する。
【０１０６】
視聴内容変更要求が発生していると判定するとき（ステップＳ７ｂ）、制御部２は、視聴者による指示の内容が、番組Ａを別チャンネルに変更することなのか否かを判定する（ステップＳ７ｃ）。
このとき、この判定結果が「偽（Ｎｏ）」であるとき、制御部２は、番組Ａを録画している記録再生部、すなわち第１記録再生部７に、番組Ａの再生を早送りするように指示する。これにより、第１記録再生部７は、番組Ａを早送りする（ステップＳ７ｆ）。すなわち、通常よりも早い速度で、記録媒体１０から番組Ａの信号を読み出し、信号選択部１１に出力する。これにより、番組受信装置１は、番組Ａを早送りし再生する。
【０１０７】
このとき、視聴者がリモコン２０を操作することによって、早送りする量を番組受信装置１に指示したり、または、番組受信装置１が、メニューにおいて早送りする量を表示して視聴者に選択させたりすればよい。
【０１０８】
ステップＳ７ｃ判定結果が「真（Ｙｅｓ）」であるとき、制御部２は、チューナの空きリソースが存在するか否かを判定する（ステップＳ７ｄ）。このとき、判定結果が「真（Ｙｅｓ）」であるとき、制御部２は、番組Ｃを再生することを決定する。この番組Ｃには、ザッピング対象管理リスト６０に登録されていない。したがって、視聴者が番組Ａを視聴しているとき、記録再生部は番組Ｃを録画していない。制御部２は、使用できる状態にあるチューナに、番組Ｃを受信するように指示する。これにより、番組受信装置１は、再生する番組を、番組Ａから番組Ｃに変更する（ステップＳ７ｅ）。
【０１０９】
番組受信装置１が番組Ｃを再生しているとき、第１記録再生部７は、番組Ａを録画し続ける。また、制御部２は、番組受信装置１が番組Ａの再生を最後に終了した時刻を、ザッピング対象管理リスト６０に書き込む（ステップＳ７ｆ）。
【０１１０】
なお、ステップＳ７ｄにおいて、チューナの空きリソースが存在しないと判定するとき、番組受信装置１は何も実行しない。すなわち、番組受信装置１は、そのまま、番組Ａを再生し続ける。これにより、視聴者は、ザッピング対象Ａとしての番組Ａを視聴し続ける。このとき、番組受信装置１は、チューナのリソースが不足している旨を通知するメッセージ、または、リソースを増やすことを目的として、ザッピング対象Ａをザッピング対象管理リスト６０から削除してもよいか否かを問い合わせるメッセージを、表示画面に表示してもよい。
【０１１１】
ステップＳ７ｂにおいて、視聴内容変更要求が通知されていないと判定するとき、番組受信装置１は、何も実行しない。すなわち、番組受信装置１は、そのまま、番組Ａを再生し続ける。これにより、視聴者は、ザッピング対象としての番組Ａを視聴し続ける。
【０１１２】
ザッピング対象管理リスト６０に複数の番組がザッピング対象として登録されており、かつ、視聴者が、現在、それらのいずれか１つを視聴しているとき、その番組の残り再生時間が、ゼロになっていることがある。すなわち、視聴者は、録画されている番組、たとえば番組Ａを、リアルタイムで視聴することになる。この状況においても、視聴者は、現在視聴している番組Ａに、これから先、重要と感じるシーンが登場しないと判断することがある。
【０１１３】
この場合、視聴者は、現在の番組を変更することを求める。そこで、このときの番組受信装置１が実行する処理の流れについて、図１２を参照して以下に説明する。図１２は、視聴者がザッピング対象を視聴しているときに、重要と感じないシーンに遭遇したとき、番組受信装置１が実行する処理を示す図である。
【０１１４】
この図によれば、視聴者は、ザッピング対象Ａとしての番組Ａを視聴している（ステップＳ８ａ）。この番組Ａは、ザッピング対象としてザッピング対象管理リスト６０に登録されている。このとき、視聴者は、番組Ａに、これから先、特に重要と感じるシーンが登場しないと判定する。これにより、視聴者は、視聴内容変更要求を番組受信装置１に通知する。このとき、視聴者は、リモコン２０のザッピング要求キー４０を押下したり、メニューにおいて「ザッピング対象」を選択したりするなどして、「視聴内容変更要求」が発生したことを番組受信装置１に通知する。
【０１１５】
視聴内容変更要求が発生していると判定するとき（ステップＳ８ｂ）、制御部２は、視聴者による指示の内容が、番組Ａを、他のザッピング対象に変更することであるか否かを判定する（ステップＳ８ｃ）。このとき、この判定結果が「偽（Ｎｏ）」であるとき、制御部２は、次に、チューナの空きリソースが存在するか否かを判定する（ステップＳ８ｆ）。このとき、この判定結果が「真（Ｙｅｓ）」であるとき、番組受信装置１は、再生する番組を、番組Ａから番組Ｃに切り替える（ステップＳ８ｇ）。
【０１１６】
ステップＳ８ｃ判定結果が「真（Ｙｅｓ）」であるとき、番組受信装置１は、再生する番組を、番組Ａから番組Ａに切り替える。このとき、制御部２は、ザッピング対象Ｂとしての番組Ｂを録画している記録再生部、たとえば第２記録再生部９に、記録媒体１０に録画されている番組Ｂの信号を読み出し、信号選択部１１に出力するように指示する。このとき、制御部２は、一時メモリ３から、ザッピング対象Ｂの再生を最後に終了した時刻を読み出し、第２記録再生部９に通知する。これにより、第２記録再生部９は、ザッピング対象Ｂの再生を最後に終了した時刻から、番組Ｂの再生を開始する（ステップＳ８ｄ）。
【０１１７】
番組受信装置１が番組Ｃを再生しているとき、第１記録再生部７は、番組Ａを録画し続ける。また、制御部２は、番組受信装置１が番組Ａの再生を最後に終了した時刻を、ザッピング対象管理リスト６０に書き込む（ステップＳ８ｅ）。
【０１１８】
なお、ステップＳ８ｆにおいて、チューナの空きリソースが存在しないと判定するとき、番組受信装置１は何も実行しない。すなわち、番組受信装置１は、そのまま、番組Ａを再生し続ける。これにより、視聴者は、ザッピング対象Ａとしての番組Ａを視聴し続ける。このとき、番組受信装置１は、チューナのリソースが不足している旨を通知するメッセージ、または、リソースを増やすことを目的として、ザッピング対象Ａをザッピング対象管理リスト６０から削除してもよいか否かを問い合わせるメッセージを、表示画面に表示してもよい。
【０１１９】
ステップＳ８ｂにおいて、視聴内容変更要求が通知されていないと判定するとき、番組受信装置１は、何も実行しない。すなわち、番組受信装置１は、そのまま、番組Ａを再生し続ける。これにより、視聴者は、ザッピング対象としての番組Ａを視聴し続ける。
【０１２０】
ザッピング対象管理リスト６０に複数の番組がザッピング対象として登録されており、かつ、視聴者が、現在、それらのいずれか１つを視聴しているとき、その番組の残り再生時間が、ゼロになっていないことがある。このとき、視聴者は、録画されている番組、たとえば番組Ａを、リアルタイムで放送される実際の番組Ａに比べて、遅れて視聴することになる。この状況において、視聴者は、現在視聴している番組Ａに、これから先、重要と感じるシーンが登場しないと判断することがある。
【０１２１】
この場合、視聴者は、録画済みの番組Ａの再生を早送りしたり、現在の番組Ａを変更することを求める。そこで、このときに番組受信装置１が実行する処理の流れについて、図１３を参照して以下に説明する。図１３は、視聴者がザッピング対象を視聴しているときに、重要と感じないシーンに遭遇したとき、番組受信装置１が実行する処理を示す図である。
【０１２２】
この図によれば、視聴者は、ザッピング対象Ａとしての番組Ａを視聴している（ステップＳ９ａ）。この番組Ａは、ザッピング対象としてザッピング対象管理リスト６０に登録されている。このとき、視聴者は、番組Ａに、これから先、特に重要と感じるシーンが登場しないと判定する。これにより、視聴者は、視聴内容変更要求を番組受信装置１に通知する。このとき、視聴者は、リモコン２０のザッピング要求キー４０を押下したり、メニューにおいて「ザッピング対象」を選択したりするなどして、「視聴内容変更要求」が発生したことを番組受信装置１に通知する。
【０１２３】
視聴内容変更要求が発生していると判定するとき（ステップＳ９ｂ）、制御部２は、視聴者による指示の内容が、何を対象にしたものであるのかを判定する（ステップＳ９ｃ）。このとき、視聴者による指示が、番組Ａの早送りであると制御部２が判定するなら、番組受信装置１は、番組Ａを早送りする（ステップＳ９ｈ）。これにより、第１記録再生部７は、番組Ａを早送りする。すなわち、通常よりも早い速度で、記録媒体１０から番組Ａの信号を読み出し、信号選択部１１に出力する。これにより、番組受信装置１は、番組Ａを早送りし再生する。
【０１２４】
このとき、視聴者がリモコン２０を操作することによって、早送りする量を番組受信装置１に指示したり、または、番組受信装置１が、メニューにおいて早送りする量を表示して視聴者に選択させたりすればよい。
【０１２５】
一方、ステップＳ９ｃにおいて、視聴者による指示が、番組Ａを他のチャンネルに変更することであると判定するなら、制御部２は、チューナの空きリソースが存在するか否かを判定する（ステップＳ９ｆ）。このとき、この判定結果が「真（Ｙｅｓ）」であるとき、番組受信装置１は、再生する番組を、番組Ａから番組Ｃに切り替える（ステップＳ９ｇ）。
【０１２６】
また、ステップＳ９ｃにおいて、視聴者による指示が、番組Ａから他のザッピング対象に変更することであると判定するなら、制御部２は、ザッピング対象Ｂとしての番組Ｂを録画している記録再生部、たとえば第２記録再生部９に、記録媒体１０に録画されている番組Ｂの信号を読み出し、信号選択部１１に出力するように指示する。このとき、制御部２は、一時メモリ３から、ザッピング対象Ｂの再生を最後に終了した時刻を読み出し、第２記録再生部９に通知する。これにより、第２記録再生部９は、ザッピング対象Ｂの再生を最後に終了した時刻から、番組Ｂの再生を開始する（ステップＳ９ｄ）。
【０１２７】
番組受信装置１が番組Ｂを再生しているとき、第１記録再生部７は、番組Ａを録画し続ける。また、制御部２は、番組受信装置１が番組Ａの再生を最後に終了した時刻を、ザッピング対象管理リスト６０に書き込む（ステップＳ９ｅ）。
【０１２８】
なお、ステップＳ９ｆにおいて、チューナの空きリソースが存在しないと判定するとき、番組受信装置１は何も実行しない。すなわち、番組受信装置１は、そのまま、番組Ａを再生し続ける。これにより、視聴者は、ザッピング対象Ａとしての番組Ａを視聴し続ける。このとき、番組受信装置１は、チューナのリソースが不足している旨を通知するメッセージ、または、リソースを増やすことを目的として、ザッピング対象Ａをザッピング対象管理リスト６０から削除してもよいか否かを問い合わせるメッセージを、表示画面に表示してもよい。
【０１２９】
ステップＳ９ｂにおいて、視聴内容変更要求が通知されていないと判定するとき、番組受信装置１は、何も実行しない。すなわち、番組受信装置１は、そのまま、番組Ａを再生し続ける。これにより、視聴者は、ザッピング対象としての番組Ａを視聴し続ける。
【０１３０】
ザッピング対象管理リスト６０に複数の番組がザッピング対象として登録されており、かつ、視聴者が、現在、それらのいずれか１つを視聴しているとき、その番組の残り再生時間が、ゼロになっていないことがある。このとき、視聴者は、録画されている番組、たとえば番組Ａを、リアルタイムで放送される実際の番組Ａに比べて、遅れて視聴することになる。この状況において、視聴者は、現在視聴している番組Ａに、これから先、重要と感じるシーンが登場しないと判断することがある。
【０１３１】
この場合、視聴者は、番組受信装置１に対し、自動的に、録画済みの番組Ａの再生を早送りしたり、現在の番組Ａを変更することを求めることがある。そこで、このときに番組受信装置１が実行する処理の流れについて、図１４を参照して以下に説明する。図１４は、視聴者がザッピング対象を視聴しているときに、重要と感じないシーンに遭遇したとき、番組受信装置１が実行する処理を示す図である。
【０１３２】
この図によれば、視聴者は、ザッピング対象Ａとしての番組Ａを視聴している（ステップＳ１０ａ）。この番組Ａは、ザッピング対象としてザッピング対象管理リスト６０に登録されている。このとき、視聴者は、番組Ａに、これから先、特に重要と感じるシーンが登場しないと判定する。これにより、視聴者は、視聴内容変更要求を番組受信装置１に通知する。このとき、視聴者は、リモコン２０のザッピング要求キー４０を押下したり、メニューにおいて「ザッピング対象」を選択したりするなどして、「視聴内容変更要求」が発生したことを番組受信装置１に通知する。
【０１３３】
視聴内容変更要求が発生していると判定するとき（ステップＳ１０ｂ）、制御部２は、視聴者が現在視聴している番組Ａが、早送り可能なものであるか否かを判定する（ステップＳ１０ｃ）;このとき、ステップＳ１０ｃにおける判定結果が「真（Ｙｅｓ）」であるとき、番組受信装置１は、番組Ａを早送りする（ステップＳ１０ｇ）。これにより、第１記録再生部７は、番組Ａを早送りする。すなわち、通常よりも早い速度で、記録媒体１０から番組Ａの信号を読み出し、信号選択部１１に出力する。これにより、番組受信装置１は、番組Ａを早送りし再生する。
【０１３４】
このとき、視聴者がリモコン２０を操作することによって、早送りする量を番組受信装置１に指示したり、または、番組受信装置１が、メニューにおいて早送りする量を表示して視聴者に選択させたりすればよい。
【０１３５】
一方、ステップＳ１０ｂにおける判定結果が「偽（Ｎｏ）」であるとき、次に、制御部２は、ザッピング対象管理リスト６０に、ザッピング対象Ｂが存在するか否かを判定する（ステップＳ１０ｄ）。このとき、ステップＳ１０ｄにおける判定結果が「偽（Ｎｏ）」であるとき、制御部２は、チューナの空きリソースが存在するか否かを判定する（ステップＳ１０ｈ）。このとき、この判定結果が「真（Ｙｅｓ）」であるとき、番組受信装置１は、再生する番組を、番組Ａから番組Ｃに切り替える（ステップＳ１０ｉ）。
【０１３６】
また、ステップＳ１０ｃにおける判定結果が「真（Ｙｅｓ）」であるとき、制御部２は、ザッピング対象Ｂとしての番組Ｂを録画している記録再生部、たとえば第２記録再生部９に、記録媒体１０に録画されている番組Ｂの信号を読み出し、信号選択部１１に出力するように指示する。このとき、制御部２は、一時メモリ３から、ザッピング対象Ｂの再生を最後に終了した時刻を読み出し、第２記録再生部９に通知する。これにより、第２記録再生部９は、ザッピング対象Ｂの再生を最後に終了した時刻から、番組Ｂの再生を開始する（ステップＳ１０ｅ）。
【０１３７】
番組受信装置１が番組Ｂまたは番組Ｃを再生しているとき、第１記録再生部７は、番組Ａを録画し続ける。また、制御部２は、番組受信装置１が番組Ａの再生を最後に終了した時刻を、ザッピング対象管理リスト６０に書き込む（ステップＳ１０ｆ）。
【０１３８】
なお、ステップＳ１０ｈにおいて、チューナの空きリソースが存在しないと判定するとき、番組受信装置１は何も実行しない。すなわち、番組受信装置１は、そのまま、番組Ａを再生し続ける。これにより、視聴者は、ザッピング対象Ａとしての番組Ａを視聴し続ける。このとき、番組受信装置１は、チューナのリソースが不足している旨を通知するメッセージ、または、リソースを増やすことを目的として、ザッピング対象Ａをザッピング対象管理リスト６０から削除してもよいか否かを問い合わせるメッセージを、表示画面に表示してもよい。
【０１３９】
ステップＳ１０ｂにおいて、視聴内容変更要求が通知されていないと判定するとき、番組受信装置１は、何も実行しない。すなわち、番組受信装置１は、そのまま、番組Ａを再生し続ける。これにより、視聴者は、ザッピング対象としての番組Ａを視聴し続ける。
【０１４０】
以上の処理を実行する番組受信装置１におけるザッピングについて、図１５を参照して以下に説明する。図１５は、番組受信装置１が実行するザッピングのタイミングを表すタイムチャートである。視聴者は、タイムチャート１ａにしたがって、チャンネルα（ボクシング番組）を視聴する。また、タイムチャート１ｂにしたがって、チャンネルβ（総合格闘技番組）を視聴する。このとき、視聴者は、黒塗りの矢印で示す番組を視聴できる。一方、白塗りの矢印で示す番組を早送りする。
【０１４１】
番組受信装置１は、チャンネルαにおいて放送される番組を、記録媒体１０に録画している。また、チャンネルβにおいて放送される番組も、記録媒体１０に録画している図１５に示すように、視聴者は、まず、チャンネルαの前座αを視聴する。すなわち、視聴者は、「チャンネルα」におけるＣＭと、「チャンネルβ」における前座βおよびコマーシャルとを、ともに重要視しない。
【０１４２】
チャンネルαでは、前座αの放送後、コマーシャルを放送する。このとき、視聴者は、視聴する番組を、他のチャンネルの番組に切り替えることを試みる。視聴者は、チャンネルαをチャンネルβに切り替える。
【０１４３】
チャンネルαでは、横綱戦１Ｒを放送している。この番組は、開始したあとすでに１分が経過しているが、視聴者は、記録媒体１０に録画済みの前座βをスキップする。これにより、チャンネルβの横綱戦１Ｒを、いわゆる「追っかけ再生」によって視聴する。横綱戦１Ｒが終了すると、チャンネルβでは、コマーシャルが流れる。このとき、視聴者は、チャンネルαへの切り替えを試みる。すなわち視聴者は、チャンネルβからチャンネルαに切り替える。
【０１４４】
チャンネルαでは、ボクシング１Ｒを放送している。この番組は、開始したあとすでに１分が経過しているが、視聴者は、記録媒体１０に録画済みのコマーシャルをスキップする。これにより、ボクシング１Ｒを、いわゆる「追っかけ再生」によって視聴する。すなわち、視聴者はコマーシャルを重要視しないため、重要なシーンであるボクシング番組まで、コマーシャルをスキップする。ボクシング１Ｒが終了すると、チャンネルβでは、コマーシャルが流れる。このとき、視聴者は、チャンネルαへの切り替えを試みる。すなわち視聴者は、チャンネルβからチャンネルαに切り替える。
【０１４５】
このように、本発明の番組受信装置１は、番組を録画する機能を２つ、有している。このとき、視聴者は、タイムチャート１ｃにしたがって、チャンネルをザッピングする。これにより、チャンネルαの番組と、チャンネルβの番組とを、適宜切り替えながら視聴する。したがって視聴者は、タイムチャート１ｄにしたがい、見かけ上、各番組をリアルタイムで視聴する。タイムチャート１ｄにおいて、各番組は、太線で囲まれている。この太線は、番組を視聴する時刻と、番組に含まれる時刻情報が一致していることを示す。
【０１４６】
以上の操作を繰り返すことによって、視聴者は、チャンネルαおよびチャンネルβにおいて、視聴者が重要と感じる各番組を、全てもらさず視聴している。
【０１４７】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる
たとえば、番組受信装置１は、２つ限らず、それ以上の数の複数のチューナを有しているものであってもよい。また、第１記録再生部７および第２記録再生部９は、一体化かされた１つの記録再生部であってもよい。
【０１４８】
以上のように、番組受信装置１は、複数の番組を受信し、それらの１つを再生する。このとき、番組受信装置１は、受信する複数の番組を、いずれも、記録媒体１０に録画している。これにより、視聴者が番組を見逃すことを防ぐ。
【０１４９】
すなわち、番組受信装置１は、上記複数の番組を録画しているときに、当該録画されている番組のいずれか１つを、その録画済み番組の再生を最後に終了した時刻によって特定される、記録媒体１０における録画位置から読み出し再生する。これにより、たとえば、ある録画済みの番組から、他の録画済みの番組に、再生する番組を切り替えるときであっても、切り替え先の番組を、とばすことなく全て再生する。
【０１５０】
このように、番組受信装置１を用いて番組を視聴する視聴者は、複数の番組を切り替えながら視聴するときであっても、全ての番組を見逃すことなく視聴できる。
【０１５１】
また、番組受信装置１は、録画済みの番組を、早送りする。これにより、たとえば、録画済みの番組に、コマーシャルなど、視聴者が重要と感じないシーンが含まれるときに、その部分をとばすことができる。番組受信装置１は、録画済みの番組を再生する時刻を、現在放送されているその番組の時刻により近づけることができる。これにより、視聴者は、録画済みの番組を、よりリアルタイムに近い感覚で視聴できる。
【０１５２】
また、番組受信装置１は、再生する番組を、他の番組に切り替える必要があるとき、もし、録画済みの他の番組が、記録媒体１０に存在しなければ、現在放送されている他の番組を再生する。これにより、番組受信装置１は、番組を切り替える必要があるとき、確実に他の番組に切り替えることができる。
【０１５３】
また、本発明の目的は、上述した番組受信装置の各機能を実現するソフトウェアである番組選択プログラムのプログラムコード（実行形式プログラム、中間コードプログラム、ソースプログラム）をコンピュータで読み取り可能に記録した記録媒体を、装置に供給し、その装置のコンピュータ（またはＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ））が記録媒体に記録されているプログラムコードを読み出し実行することによっても、達成可能である。
【０１５４】
上記プログラムコードを供給するための記録媒体は、装置と分離可能に構成できる。また、上記記録媒体は、プログラムコードを供給可能であるように固定的に担持する媒体であってもよい。そして、上記記録媒体は、記録したプログラムコードをコンピュータが直接読み取ることができるように装置に装着されるものであっても、外部記憶装置として装置に接続されたプログラム読み取り装置を介して読み取ることができるように装着されるものであってもよい。
【０１５５】
たとえば、上記記録媒体としては、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ／ＤＶＤ−Ｒ／ＤＶＤ−ＲＡＭ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリー系などを用いることができる。
【０１５６】
また、装置を通信ネットワークと接続可能に構成し、上記プログラムコードを、通信ネットワークを介して供給してもよい。そして、通信ネットワークとしては、特に限定されず、具体的には、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、通信ネットワークを構成する伝送媒体としては、特に限定されず、具体的には、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ、８０２．１１無線、携帯電話網、衛星回線、地上波デジタル網等の無線でも利用可能である。なお、本発明は、上記プログラムコードが電子的な伝送で具現化された搬送波あるいはデータ信号列の形態でも実現され得る。上述した機能は、コンピュータが読み出した上記プログラムコードを実行することによって実現されるだけでなく、そのプログラムコードの指示に基づき、コンピュータ上で稼働しているＯＳ（Ｏｐｅｒａｔｉｎｇ  Ｓｙｓｔｅｍ）などが実際の処理の一部または全部を行うことによっても実現される。
【０１５７】
さらに、上述した機能は、上記記録媒体から読み出された上記プログラムコードが、コンピュータに装着された機能拡張ボードやコンピュータに接続された機能拡張ユニットに備わるメモリーに書込まれた後、そのプログラムコードの指示に基づき、その機能拡張ボードや機能拡張ユニットに備わるＣＰＵなどが実際の処理の一部または全部を行うことによっても実現される。
【０１５８】
本発明は、放送される番組を受信する、テレビなどの番組受信装置として利用できる。
【図面の簡単な説明】
【０１５９】
【図１】本発明に係る番組受信装置の構成例を示すブロック図である。
【図２】本発明に係る番組受信装置を操作するためのリモコンの構成を示す図である。
【図３】番組受信装置が表示画面に表示するメニューの一例を示す図である。
【図４】ザッピング対象管理リストの一例を示す図である。
【図５】視聴者が視聴している番組を、番組受信装置がザッピング対象としてザッピング対象管理リストに登録するときの処理を示すフローチャートである。
【図６】視聴者が視聴している番組としてのザッピング対象を、番組受信装置がザッピング対象管理リストから削除するときの処理を示すフローチャートである。
【図７】番組受信装置が受信手段および記録再生部の空きリソースを増やすときの処理を示すフローチャートである。
【図８】視聴者が番組を視聴しているときに、重要と感じないシーンに遭遇したとき、番組受信装置が実行する処理を示すフローチャートである。
【図９】視聴者が番組を視聴しているときに、重要と感じないシーンに遭遇したとき、番組受信装置が実行する処理を示すフローチャートである。
【図１０】視聴者がザッピング対象を視聴しているときに、重要と感じないシーンに遭遇したとき、番組受信装置が実行する処理を示すフローチャートである。
【図１１】視聴者がザッピング対象を視聴しているときに、重要と感じないシーンに遭遇したとき、番組受信装置が実行する処理を示すフローチャートである。
【図１２】視聴者がザッピング対象を視聴しているときに、重要と感じないシーンに遭遇したとき、番組受信装置が実行する処理を示すフローチャートである。
【図１３】視聴者がザッピング対象を視聴しているときに、重要と感じないシーンに遭遇したとき、番組受信装置が実行する処理を示すフローチャートである。
【図１４】視聴者がザッピング対象を視聴しているときに、重要と感じないシーンに遭遇したとき、番組受信装置が実行する処理を示すフローチャートである。
【図１５】番組受信装置が実行するザッピングのタイミングを表すタイムチャートである
【図１６】従来技術に係る第１の装置が実行するザッピングのタイミングを表すタイムチャートである。
【図１７】従来技術に係る第２の装置が実行するザッピングのタイミングを表すタイムチャートである。
【符号の説明】
【０１６０】
１    番組受信装置
２    制御部（番組選択手段）
３    一時メモリ
４    操作部
５    アンテナ
６    第１チューナ（受信手段）
７    第１記録再生部（録画手段）
８    第２チューナ（受信手段）
９    第２記録再生部（録画手段）
１０    記録媒体
１１    信号選択部（番組選択手段）
１２    音声信号処理部
１３    画像信号処理部
１４    番組出力部
２０    リモコン
２１    メニューキー
２２    電源キー
２３    ダイレクト選局キー
２４    音声増加キー
２５    音声減少キーキー
２６    順方向チャンネル変更キー
２７    逆方向チャンネル変更キー
２８    カーソル上キー
２９    カーソル下キー
３０    カーソル左キー
３１    カーソル右キー
３２    決定キー
３３    逆方向頭出しキー
３４    再生キー
３５    順方向頭出しキー
３６    巻き戻しキー
３７    再生停止キー
３８    早送りキー
３９    ザッピング対象削除キー
４０    ザッピング要求キー
４１    ザッピング対象登録キー
５０    ザッピング対象管理リスト
【図１】
2007013483.tif 000003
【図２】
2007013483.tif 000004
【図３】
2007013483.tif 000005
【図４】
2007013483.tif 000006
【図５】
2007013483.tif 000007
【図６】
2007013483.tif 000008
【図７】
2007013483.tif 000009
【図８】
2007013483.tif 000010
【図９】
2007013483.tif 000011
【図１０】
2007013483.tif 000012
【図１１】
2007013483.tif 000013
【図１２】
2007013483.tif 000014
【図１３】
2007013483.tif 000015
【図１４】
2007013483.tif 000016
【図１５】
2007013483.tif 000017
【図１６】
2007013483.tif 000018
【図１７】
2007013483.tif 000019